(57)【要約】【課題】通信異常の発生頻度が抑えられる受信回路を提供する。【解決手段】受信回路１０は、プラス側レベル判定回路３１と、マイナス側レベル判定回路３２と、ゲート回路Ｕ３とを備え、ＡＭＩ信号を入力し、２値の出力信号に変換して出力する。プラス側レベル判定回路３１は、入力信号の電圧が正のしきい値よりも大きいか小さいかを判定する。正のしきい値は、正帰還４１によりヒステリシス特性を持つ。マイナス側レベル判定回路３２は、入力信号の電圧が負のしきい値よりも大きいか小さいかを判定する。負のしきい値は、正帰還４２によりヒステリシス特性を持つ。ゲート回路Ｕ３は、プラス側レベル判定回路３１およびマイナス側レベル判定回路３２の各出力を論理合成して出力信号を生成する。【選択図】図２
2007318632.tif 000002
【特許請求の範囲】
【請求項１】
ＡＭＩ符号化された信号を入力し、２値の出力信号に変換して出力する受信回路であって、
入力信号が正の第１しきい値よりも大きいか小さいかを判定する第１判定手段（Ｕ１）と、
入力信号が負の第２しきい値よりも大きいか小さいかを判定する第２判定手段（Ｕ２）と、
前記第１判定手段および前記第２判定手段の判定結果に基づき前記出力信号を生成する出力信号生成手段（Ｕ３）と、
前記第１しきい値にヒステリシス特性を持たせる第１ヒステリシス生成手段（４１）と、
前記第２しきい値にヒステリシス特性を持たせる第２ヒステリシス生成手段（４２）と、
を備えた受信回路。
【請求項２】
前記第１ヒステリシス生成手段（４１）は、ヒステリシス特性の付与により、前記第１しきい値を、正の第１増加時しきい値（Ｖ１ｏｎ）および正の第１減少時しきい値（Ｖ１ｏｆｆ）にするものであり、
前記第１判定手段は、前記入力信号の電圧が増加している際に、前記入力信号の電圧が前記正の第１増加時しきい値（Ｖ１ｏｎ）を超えると、２者択一の判定結果を反転させ、且つ、前記入力信号の電圧が減少している際に、前記入力信号の電圧が前記正の第１減少時しきい値（Ｖ１ｏｆｆ）を下回ると、２者択一の判定結果を反転させ、
前記第２ヒステリシス生成手段（４２）は、ヒステリシス特性の付与により、前記第２しきい値を、負の第２増加時しきい値（Ｖ２ｏｆｆ）および負の第２減少時しきい値（Ｖ２ｏｎ）にするものであり、
前記第２判定手段は、前記入力信号の電圧が増加している際に、前記入力信号の電圧が前記負の第２増加時しきい値（Ｖ２ｏｆｆ）を超えると、２者択一の判定結果を反転させ、且つ、前記入力信号の電圧が減少している際に、前記入力信号の電圧が前記負の第２減少時しきい値（Ｖ２ｏｎ）を下回ると、２者択一の判定結果を反転させる、
請求項１に記載の受信回路。
【請求項３】
ＡＭＩ符号化された差動信号を入力し、２値の出力信号に変換して出力する受信回路であって、
前記差動信号をノーマル信号に変換する差動増幅手段（３０）と、
前記ノーマル信号がしきい値よりも大きいか小さいかを判定する第１判定手段（Ｕ１）および第２判定手段（Ｕ２）と、
前記第１判定手段および前記第２判定手段の判定結果に基づき前記出力信号を生成する出力信号生成手段（Ｕ３）と、
前記第１判定手段のしきい値にヒステリシス特性を持たせる第１ヒステリシス生成手段（４１）と、
前記第２判定手段のしきい値にヒステリシス特性を持たせる第２ヒステリシス生成手段（４２）と、
を備えた受信回路。
【請求項４】
ＡＭＩ符号化された信号を入力し、２値の出力信号に変換して出力する受信回路であって、
複数の電子部品（Ｒ４，Ｒ５，Ｒ７，Ｒ８）から構成され、入力信号を減衰させるアッテネータ（６１，６２，６３）と、
前記アッテネータにより減衰された入力信号を前記出力信号に変換する変換部（３０，Ｕ１，Ｕ２，Ｕ３，・・・）と、
を備え、
前記変換部は、集積回路（５１，５２，５３）に内蔵されており、
前記アッテネータの前記電子部品は、前記集積回路の外部に配置されている、
受信回路。
【請求項５】
前記変換部は、前記入力信号を差動信号からノーマル信号へ変換する差動増幅手段（３０）と、前記ノーマル信号を前記出力信号に変換する出力信号生成手段（Ｕ１，Ｕ２，Ｕ３）とを有している、
請求項４に記載の受信回路。
【請求項６】
前記アッテネータの前記電子部品に接続される電源（Ｖ２）は、前記集積回路の内部から外部に引き出される、
請求項４又は５に記載の受信回路。
【請求項７】
前記アッテネータの前記電子部品に接続される電源（Ｖ２ａ）は、前記集積回路の内部あるいは外部で生成される、
請求項４又は５に記載の受信回路。
【発明の詳細な説明】
【技術分野】
【０００１】
本発明は、受信回路、特に、空気調和装置の室外ユニットと室内ユニットとの間の伝送のような伝送路が長くなったり分岐が多かったりする場合の伝送装置におけるＡＭＩ信号の受信回路に関する。
【背景技術】
【０００２】
デジタル信号の伝送における伝送信号として、ＡＭＩ（Alternate Mark Inversion）符号化された信号（以下、ＡＭＩ信号という。）がある。ＡＭＩ信号は、ＨＢＳ（ホームバスシステム）等において採用されており、出力されるときには、ゼロ、プラス、マイナスの３値で構成され、正極信号線および負極信号線を流れる。この信号を用いた通信方式においては、論理「１」をゼロに、論理「０」をプラスまたはマイナスのレベルに交互に割り付ける。
【０００３】
特許文献１に開示されているように、室外ユニットと室内ユニットとの間のデータのやりとりがＡＭＩ信号の送受信により行われている空気調和装置が存在する。ここでは、例えば室外ユニットが、プロトコルコントローラを含むコントローラ、送信回路、受信回路などを具備しており、室内ユニット等に延びる正極信号線および負極信号線に送信回路や受信回路が接続される。受信回路は、正極信号線および負極信号線からＡＭＩ信号を受信し、その信号の正パルスおよび負パルスをローパルス（論理「０」）に、その信号の零レベルをハイパルス（論理「１」）に変換して、そのデジタル出力をプロトコルコントローラに送る。
【０００４】
現在の空気調和装置において用いられている受信回路の一例を、図９に示す。この受信回路は、カップリングコンデンサＣ１，Ｃ２、抵抗Ｒ４，Ｒ５，Ｒ７，Ｒ８から構成されるアッテネータ、トランジスタＱ１，Ｑ２および定電流源Ｉ１，Ｉ２から構成される差動増幅回路、トランジスタＱ１，Ｑ２からの電流出力を受けて電圧に変換するための抵抗Ｒ１，Ｒ２、抵抗Ｒ１，Ｒ２より出力された各電圧を基準電圧Ｖ３と比較して入力信号の判定を行うコンパレータＵ１，Ｕ２、コンパレータＵ１，Ｕ２の各出力の論理和の反転をするゲート回路Ｕ３などから構成されている。図９において、符号ＶＣＣ５は、電源電圧を表している。受信回路は、正極信号線９１および負極信号線９２からＡＭＩ信号を受信し、ゲート回路Ｕ３からプロトコルコントローラ（図示せず）へと２値の出力信号を送る。また、図９に示す受信回路では、点線で囲む部分が集積回路５９に内蔵されている。
【特許文献１】特開平８−１９５７６１号公報
【発明の開示】
【発明が解決しようとする課題】
【０００５】
ＡＭＩ信号を用いる空気調和装置の通信方式においては、建物の屋上などに設置される室外ユニットと各部屋の天井などに設置される室内ユニットとの間の伝送路が、長くなってしまう傾向にある。この場合、伝送路を通るあいだに信号の波形がなまってしまうだけではなく、ノイズや反射波の影響が波形にのり、受信回路で変換する際に、本来１つのパルスであったものが複数のパルスになってしまうことがある。また、伝送路に分岐が多いような場合にも、同様の問題が生じることがある。
【０００６】
図１０に示すように、送信波形に対し、受信回路に入力される時点における信号の波形（受信波形）は、なまっているとともに、ノイズや反射波の影響が重畳されている。このような波形の信号を受信した受信回路は、その信号を、プラス側およびマイナス側のスレッショルド電圧Ｖｔｈ＋，Ｖｔｈ−をしきい値として用い、論理「０」と論理「１」のデジタル信号に変換する。具体的には、レベルＶｔｈ＋〜Ｖｔｈ−の範囲において論理「１」に変換し、レベルＶｔｈ＋を超える範囲およびレベルＶｔｈ−を下回る範囲において論理「０」に変換する。したがって、図１０の中段に示すような受信波形の場合には、図１０の下段に示すように、本来１つであったパルスが、ノイズや反射波の影響により、複数のパルスに分割されて認識されることになる。この結果、受信回路からのデジタル出力信号を受けたプロトコルコントローラは異常なデータと判断することがあり、通信異常が生じることがある。
【０００７】
また、図９に示す従来の受信回路では、抵抗Ｒ７，Ｒ８とともに入力感度を決定する電子部品である抵抗Ｒ４，Ｒ５が、集積回路５９に内蔵されている。このことは、集積回路５９に外付けする電子部品数の削減に寄与しているが、ノイズや反射波の影響により受信回路におけるデータ変換の精度を劣化させる要因になることが、最近の本願発明者による技術検討によって明らかになってきている。
【０００８】
本発明の課題は、通信異常の発生頻度が抑えられる受信回路を提供することにある。
【課題を解決するための手段】
【０００９】
第１発明に係る受信回路は、ＡＭＩ信号を入力し、２値の出力信号に変換して出力する受信回路であって、第１判定手段と、第２判定手段と、出力信号生成手段と、第１ヒステリシス生成手段と、第２ヒステリシス生成手段とを備えている。第１判定手段は、入力信号が正の第１しきい値よりも大きいか小さいかを判定する。第２判定手段は、入力信号が負の第２しきい値よりも大きいか小さいかを判定する。出力信号生成手段は、第１判定手段および第２判定手段の判定結果に基づき、出力信号を生成する。第１ヒステリシス生成手段は、第１しきい値にヒステリシス特性を持たせる。第２ヒステリシス生成手段は、第２しきい値にヒステリシス特性を持たせる。
【００１０】
図９に示すような従来の受信回路では、正のしきい値も負のしきい値も１つの数値として不動のものとなっているため、ノイズや反射波の影響を受けたＡＭＩ信号を受信すると、図１０の下段に示すように本来１つであったパルスが出力信号において複数のパルスとして表れてしまう確率が高い。
【００１１】
これに対し、第１発明の受信回路では、正の第１しきい値も負の第２しきい値も、それぞれヒステリシス特性を持つようになる。このため、ノイズや反射波の影響を受けたＡＭＩ信号の乱れ部分に対して敏感に各判定手段が反応することが抑えられ、本来のパルスがノイズ等によって出力信号において分割された複数のパルスになってしまうという不具合が低減する。このように、第１発明に係る受信回路は、従来の受信回路に較べて通信異常の発生頻度が抑えられる。
【００１２】
第２発明に係る受信回路は、第１発明の受信回路であって、第１ヒステリシス生成手段は、ヒステリシス特性の付与により、第１しきい値を、正の第１増加時しきい値および正の第１減少時しきい値にするものである。第１判定手段は、入力信号の電圧が増加している際に、入力信号の電圧が正の第１増加時しきい値を超えると、２者択一の判定結果を反転させる。さらに、第１判定手段は、入力信号の電圧が減少している際に、入力信号の電圧が正の第１減少時しきい値を下回ると、２者択一の判定結果を反転させる。また、第２ヒステリシス生成手段は、ヒステリシス特性の付与により、第２しきい値を、負の第２増加時しきい値および負の第２減少時しきい値にするものである。第２判定手段は、入力信号の電圧が増加している際に、入力信号の電圧が負の第２増加時しきい値を超えると、２者択一の判定結果を反転させる。さらに、第２判定手段は、入力信号の電圧が減少している際に、入力信号の電圧が負の第２減少時しきい値を下回ると、２者択一の判定結果を反転させる。
【００１３】
ここでは、入力信号の電圧判定においてノイズや反射波による波形の乱れの影響を抑制するためのヒステリシス特性の付与を、２つのポイント（第１しきい値および第２しきい値）において行わせ、それにより通信異常の発生頻度を低減している。
【００１４】
第３発明に係る受信回路は、ＡＭＩ符号化された差動信号を入力し、２値の出力信号に変換して出力する受信回路であって、差動増幅手段と、第１判定手段および第２判定手段と、出力信号生成手段と、第１ヒステリシス生成手段と、第２ヒステリシス生成手段とを備えている。差動増幅手段は、差動信号をノーマル信号に変換する。第１判定手段および第２判定手段は、それぞれ、ノーマル信号がしきい値よりも大きいか小さいかを判定する。出力信号生成手段は、第１判定手段および第２判定手段の判定結果に基づき出力信号を生成する。第１ヒステリシス生成手段は、第１判定手段のしきい値にヒステリシス特性を持たせる。第２ヒステリシス生成手段は、第２判定手段のしきい値にヒステリシス特性を持たせる。
【００１５】
図９に示すような従来の受信回路では、しきい値が１つの数値として不動のものとなっているため、ノイズや反射波の影響を受けたＡＭＩ信号を受信すると、図１０の下段に示すように本来１つであったパルスが出力信号において複数のパルスとして表れてしまう確率が高い。
【００１６】
これに対し、第３発明の受信回路では、第１判定手段および第２判定手段それぞれにおいて、しきい値がヒステリシス特性を持つようになる。このため、ノイズや反射波の影響を受けたＡＭＩ信号の乱れ部分に対して敏感に各判定手段が反応することが抑えられ、本来のパルスがノイズ等によって出力信号において分割された複数のパルスになってしまうという不具合が低減する。このように、第３発明に係る受信回路は、従来の受信回路に較べて通信異常の発生頻度が抑えられる。
【００１７】
第４発明に係る受信回路は、ＡＭＩ符号化された信号を入力し、２値の出力信号に変換して出力する受信回路であって、アッテネータと、変換部とを備えている。アッテネータは、複数の電子部品から構成され、入力信号を減衰させる。変換部は、アッテネータにより減衰された入力信号を、出力信号に変換する。また、変換部は、集積回路に内蔵されている。そして、アッテネータの電子部品は、集積回路の外部に配置されている。
【００１８】
図９に示す従来の受信回路では、抵抗Ｒ４，Ｒ５，Ｒ７，Ｒ８から成るアッテネータ６０により、入力信号の電圧の減衰比は、抵抗Ｒ４および抵抗Ｒ５の抵抗値が同じで、抵抗Ｒ７および抵抗Ｒ８の抵抗値が同じであるとすると、
（抵抗Ｒ４の抵抗値）／（抵抗Ｒ４の抵抗値＋抵抗Ｒ７の抵抗値）
となる。
【００１９】
しかし、抵抗Ｒ７，Ｒ８とともに入力感度を決定する電子部品である抵抗Ｒ４，Ｒ５が、図９に示す従来の受信回路においては集積回路５９に内蔵されている。通常、集積回路内においてはイオン注入抵抗やポリシリコン抵抗などが採用される一方、外付けの抵抗は金属被膜や炭素被膜を有するものとなっており、集積回路５９内の抵抗Ｒ４，Ｒ５と外付けの抵抗Ｒ７，Ｒ８とでは、周囲温度による抵抗値の変化の程度が異なる。一般に、集積回路内の抵抗は温度特性が悪く、外付けの抵抗は温度特性が良好なものとなる。したがって、抵抗Ｒ４，Ｒ５，Ｒ７，Ｒ８の温度特性が同じであれば周囲温度の変化があっても入力信号の減衰比は一定に保たれるが、そうはなっておらず、集積回路内の抵抗Ｒ４，Ｒ５と外付けの抵抗Ｒ７，Ｒ８とで温度特性が異なっているため、減衰率が温度によって変わってしまう。
【００２０】
これにより、従来の受信回路では、温度によってアッテネータによる入力信号の減衰率が変化し、感度が高くなってノイズの影響を受けやすくなったり、感度が悪くなって負の反射波の影響を受けやすくなったりする。
【００２１】
これに対し、第４発明に係る受信回路では、アッテネータを構成する抵抗などの電子部品を集積回路の外部に配置する構成を採っているため、周囲温度が変化しても減衰率を概ね一定に保つことができる。このため、第４発明の受信回路では、通信異常の発生頻度が低減する。
【００２２】
第５発明に係る受信回路は、第４発明の受信回路であって、変換部は、入力信号を差動信号からノーマル信号へ変換する差動増幅手段と、ノーマル信号を出力信号に変換する出力信号生成手段とを有している。
【００２３】
第６発明に係る受信回路は、第４又は第５発明の受信回路であって、アッテネータの電子部品に接続される電源は、集積回路の内部から外部に引き出される。
【００２４】
第７発明に係る受信回路は、第４又は第５発明の受信回路であって、アッテネータの電子部品に接続される電源は、集積回路の内部あるいは外部で生成される。
【発明の効果】
【００２５】
第１，第２発明に係る受信回路によれば、ノイズや反射波の影響を受けたＡＭＩ信号の乱れ部分に対して敏感に各判定手段が反応してしまうことが抑えられ、本来のパルスがノイズ等によって出力信号において分割された複数のパルスになってしまう不具合が低減し、従来の受信回路に較べて通信異常の発生頻度が抑えられる。
【００２６】
第３発明に係る受信回路によれば、ノイズや反射波の影響を受けたＡＭＩ信号の乱れ部分に対して敏感に各判定手段が反応してしまうことが抑えられ、本来のパルスがノイズ等によって出力信号において分割された複数のパルスになってしまう不具合が低減し、従来の受信回路に較べて通信異常の発生頻度が抑えられる。
【００２７】
第４〜第７発明に係る受信回路によれば、周囲温度が変化してもアッテネータの減衰率を概ね一定に保つことができ、通信異常の発生頻度が低減する。
【発明を実施するための最良の形態】
【００２８】
＜空気調和装置＞
本発明に係る受信回路を含む伝送装置が使用される空気調和装置の概略構成を、図１に示す。空気調和装置１は、ビルなどの建物に設置されるものであり、１又は複数の冷媒系統から構成されている。各冷媒系統では、１又は複数台の室外ユニット２と、室外ユニット２に対して複数が接続される室内ユニット３とが、閉じた冷媒回路を形成している。また、各冷媒系統において、室外ユニット２と室内ユニット３が、通信ライン５によって結ばれている。図１に示すように集中コントローラ４が存在する場合には、それも通信ライン５によって結ばれる。通信ライン５は、空調制御や空調監視のデータを伝送するために設けられており、正極信号線９１と負極信号線９２とから構成されている（図２等を参照）。
【００２９】
この空気調和装置１においては、通信ライン５上にＡＭＩ信号を流す伝送方式を採用している。送信の際に、論理「１」を零レベルに、論理「０」をプラス又はマイナスのレベルに交互に割り付ける方式により、信号が生成される。すなわち、ＡＭＩ信号は、零、プラス、マイナスの３値をとる（図１０の上段を参照）。
【００３０】
通信ライン５に接続されている室外ユニット２や室内ユニット３などは、それぞれ、送信回路、受信回路、プロトコルコントローラなどを具備する伝送装置を有している。このうち、受信回路について、以下で詳細に説明を行う。
【００３１】
＜第１実施形態＞
〔受信回路の構成〕
本発明の第１実施形態に係る受信回路を、図２に示す。この受信回路１０は、カップリングコンデンサＣ１，Ｃ２、アッテネータ６０、差動増幅回路３０、プラス側レベル判定回路３１、マイナス側レベル判定回路３２、ゲート回路Ｕ３などから構成されている。
【００３２】
カップリングコンデンサＣ１，Ｃ２は、通信ライン５（正極信号線９１，負極信号線９２）に重畳された直流電圧を阻止する。アッテネータ６０は、抵抗Ｒ４，Ｒ５，Ｒ７，Ｒ８から構成され、入力信号のレベルを低下させる。差動増幅回路３０は、トランジスタＱ１，Ｑ２および定電流源Ｉ１，Ｉ２から構成され、差動信号である入力信号をノーマル信号に変換する。抵抗Ｒ１，Ｒ２は、トランジスタＱ１，Ｑ２のコレクタから出力された電流を受けて、電圧に変換する。
【００３３】
プラス側レベル判定回路３１は、コンパレータＵ１と、コンパレータＵ１に正帰還（Positive Feed Back）４１をかけてヒステリシス特性を付与するための抵抗Ｒ１３とから構成されている。コンパレータＵ１は、正極性について、抵抗Ｒ２より出力された電圧を基準電圧Ｖ３と比較して、入力信号の判定を行う。
【００３４】
このコンパレータＵ１は、プラスの入力と出力との間に抵抗Ｒ１３を挿入する正帰還４１により、ヒステリシス付きのコンパレータとなっている。入力信号が０Ｖのときは、コンパレータＵ１の出力はＬ（ロー）であるので、正帰還用の抵抗Ｒ１３が抵抗Ｒ２をグランドに接続したことになる。ここで、抵抗Ｒ２と抵抗Ｒ１３との合成抵抗Ｒ０は、
【００３５】
【数１】
2007318632.tif 000003
【００３６】
となる。そして、トランジスタＱ２のコレクタの電圧ＶＱ２Ｃは、
【００３７】
【数２】
2007318632.tif 000004
【００３８】
となる。符号Ｉｃは、トランジスタＱ２のコレクタ電流である。次に、入力信号の電圧が上昇していくと、トランジスタＱ２のコレクタ電流Ｉｃが減衰していき、減った分はトランジスタＱ１側に流れるようになる。これにより、上式のＩｃが減少していき、ＶＱ２Ｃが増加して基準電圧Ｖ３を超えるようになる。すると、コンパレータＵ１の出力が反転し、Ｌ（ロー）からＨ（ハイ）に変わる。すると、コンパレータＵ１の出力に接続された抵抗Ｒ１３の一端は電源電圧ＶＣＣ５のレベルとなり、この瞬間にトランジスタＱ２のコレクタ電圧ＶＱ２Ｃは、
【００３９】
【数３】
2007318632.tif 000005
【００４０】
に変わる。この瞬間に変化する電圧量ΔＶＱ２Ｃは、上の２つの式の差であり、
【００４１】
【数４】
2007318632.tif 000006
【００４２】
となる。この電圧量ΔＶＱ２Ｃが、ヒステリシス特性の元となる。差動増幅回路３０による増幅率をＡとすると、ヒステリシスＶｈは、
【００４３】
【数５】
2007318632.tif 000007
【００４４】
となる。
【００４５】
マイナス側レベル判定回路３２は、コンパレータＵ２と、コンパレータＵ２に正帰還４２をかけてヒステリシス特性を付与するための抵抗Ｒ１４とから構成されている。コンパレータＵ２は、負極性について、抵抗Ｒ１より出力された電圧を基準電圧Ｖ３と比較して、入力信号の判定を行う。
【００４６】
このコンパレータＵ２は、プラスの入力と出力との間に抵抗Ｒ１４を挿入する正帰還４２により、ヒステリシス付きのコンパレータとなっている。正帰還４２によるヒステリシス特性の付与の原理は、上述の正帰還４１によるヒステリシス特性の付与と同様であるため、説明を省略する。
【００４７】
ゲート回路Ｕ３は、コンパレータＵ１，Ｕ２の論理和の反転をするＮＯＲゲートであり、論理「０」または論理「１」の出力信号を出力する。
【００４８】
〔受信回路の特徴〕
図９に示すような従来の受信回路では、ノイズや反射波の影響を受けたＡＭＩ信号を受信すると、正のスレッショルド電圧Ｖｔｈ＋も負のスレッショルド電圧Ｖｔｈ−（図１０中段を参照）も１つの数値として不動のものとなっているため、図１０の下段に示すように、本来１つであったパルスが出力信号において複数のパルスとして表れてしまう確率が比較的高い。
【００４９】
これに対し、図２に示す第１実施形態に係る受信回路１０では、コンパレータＵ１，Ｕ２をヒステリシス付きのコンパレータとしているため、正のスレッショルド電圧も負のスレッショルド電圧も、それぞれヒステリシス特性を持つことになる。具体的には、図３に示すように、正極信号線９１および負極信号線９２から入力されたＡＭＩ信号の電圧（以下、入力電圧という。）に対し、正のしきい値が２つのしきい値Ｖ１ｏｆｆ，Ｖ１ｏｎに分かれ、負のしきい値が２つのしきい値Ｖ２ｏｆｆ，Ｖ２ｏｎに分かれる。入力電圧がプラス側の場合、入力電圧が増加しているときには、入力電圧がＶ１ｏｎを超えると出力電圧が反転し（ハイ電圧Ｖｏｈからロー電圧Ｖｏｌに変わり）、入力電圧が減少しているときには、入力電圧がＶ１ｏｆｆを下回ると出力電圧が反転する（ロー電圧Ｖｏｌからハイ電圧Ｖｏｈに変わる）。一方、入力電圧がマイナス側の場合、入力電圧が増加しているときには、入力電圧がＶ２ｏｆｆを超えると出力電圧が反転し（ロー電圧Ｖｏｌからハイ電圧Ｖｏｈに変わり）、入力電圧が減少しているときには、入力電圧がＶ２ｏｎを下回ると出力電圧が反転する（ハイ電圧Ｖｏｈからロー電圧Ｖｏｌに変わる）。
【００５０】
これにより、第１実施形態に係る受信回路１０の場合には、伝送中にＡＭＩ信号にノイズや反射波の影響が出て入力信号の受信波形が図４の上段に示すように乱れたときにも、その出力においてノイズ部分や反射波の影響部分でパルスが分割されてしまう不具合が抑制される（図４下段の出力信号を参照）。一方、外部からヒステリシス特性を付与していない従来の受信回路を使用した場合には、図４の中段に示すように、例えば反射波の影響により、本来存在しないパルスを認識して出力信号において余分なパルスを生成してしまうことになる。
【００５１】
このようにして、受信回路１０では、図９に示すような従来の受信回路に較べて通信異常の発生頻度が抑えられている。
【００５２】
＜第２実施形態＞
〔受信回路の構成〕
本発明の第２実施形態に係る受信回路を、図５に示す。この受信回路は、カップリングコンデンサＣ１，Ｃ２、アッテネータ６１、差動増幅回路３０、コンパレータＵ１，Ｕ２、ゲート回路Ｕ３などから構成されている。
【００５３】
カップリングコンデンサＣ１，Ｃ２は、通信ライン５（正極信号線９１，負極信号線９２）に重畳された直流電圧を阻止する。アッテネータ６１は、抵抗Ｒ４，Ｒ５，Ｒ７，Ｒ８から構成され、入力信号のレベルを低下させる。差動増幅回路３０は、トランジスタＱ１，Ｑ２および定電流源Ｉ１，Ｉ２から構成される。抵抗Ｒ１，Ｒ２は、トランジスタＱ１，Ｑ２のコレクタから出力された電流を受けて、電圧に変換する。コンパレータＵ１は、正極性について、抵抗Ｒ２より出力された電圧を基準電圧Ｖ３と比較して、入力信号の判定を行う。コンパレータＵ２は、負極性について、抵抗Ｒ１より出力された電圧を基準電圧Ｖ３と比較して、入力信号の判定を行う。ゲート回路Ｕ３は、コンパレータＵ１，Ｕ２の論理和の反転をするＮＯＲゲートであり、論理「０」または論理「１」の出力信号を出力する。
【００５４】
第２実施形態に係る受信回路では、アッテネータ６１を構成する抵抗Ｒ４，Ｒ５，Ｒ７，Ｒ８が全て集積回路５１の外部に配置される外付けの抵抗となっている一方、アッテネータ６１でレベルが低下した入力信号を出力信号に変換する変換部（差動増幅回路３０、コンパレータＵ１，Ｕ２、ゲート回路Ｕ３など）が集積回路５１に内蔵される構成となっている。
【００５５】
〔受信回路の特徴〕
図９に示す従来の受信回路では、抵抗Ｒ４，Ｒ５，Ｒ７，Ｒ８から成るアッテネータ６０により、入力信号の電圧の減衰比は、抵抗Ｒ４および抵抗Ｒ５の抵抗値が同じで、抵抗Ｒ７および抵抗Ｒ８の抵抗値が同じであるとすると、
（抵抗Ｒ４の抵抗値）／（抵抗Ｒ４の抵抗値＋抵抗Ｒ７の抵抗値）
となる。したがって、集積回路５９内部の入力感度をＶｓとすると、受信回路全体の入力感度Ｖｔｈは、
【００５６】
【数６】
2007318632.tif 000008
【００５７】
で与えられる。
【００５８】
このうち、抵抗Ｒ４，Ｒ５は集積回路５９内で作成された温度特性の悪いポリシリコン抵抗やイオン注入抵抗であるのに対し、抵抗Ｒ７，Ｒ８は外付け抵抗であって温度特性が良好である。このように、図９に示す従来の受信回路においては、集積回路５９内の抵抗Ｒ４，Ｒ５と外付けの抵抗Ｒ７，Ｒ８とで周囲温度による抵抗値の変化の程度が異なる。
【００５９】
したがって、抵抗Ｒ４，Ｒ５，Ｒ７，Ｒ８の温度特性が同じであれば周囲温度の変化があっても入力信号の減衰比は一定に保たれるが、集積回路５９内の抵抗Ｒ４，Ｒ５と外付けの抵抗Ｒ７，Ｒ８とで温度特性が異なるため、減衰率が温度によって変わってしまい、スレッショルドレベルが変動する。このようにスレッショルドレベルが変動すると、通信の品質が悪化する。
【００６０】
これに対し、図５の第２実施形態に係る受信回路では、アッテネータ６１を構成する抵抗Ｒ４，Ｒ５，Ｒ７，Ｒ８が全て集積回路５１の外部に配置されており、周囲温度が変化しても減衰率を概ね一定に保つことができ、スレッショルドレベル（図１０のスレッショルド電圧Ｖｔｈ＋，Ｖｔｈ−の絶対値）が安定する。したがって、この受信回路では、通信の品質が従来の受信回路に較べて改善されている。
【００６１】
＜第３実施形態＞
本発明の第３実施形態に係る受信回路を、図６に示す。この受信回路は、アッテネータ６２を除いて基本的に上記第２実施形態に係る受信回路と同じ構成であるため、異なる構成についてのみ説明を行う。
【００６２】
上記第２実施形態に係る受信回路では、集積回路５１内の電圧源Ｖ２の電圧を集積回路５１の外部に引き出し、それに抵抗Ｒ４，Ｒ５を接続しているが、第３実施形態に係る受信回路では、集積回路５２の外部で電圧源Ｖ２ａを生成し、集積回路５２の引き出すピン数を抑えている。
【００６３】
第３実施形態の受信回路における集積回路５２外の電圧源Ｖ２ａは、特に構成が限定されるものではないが、例えば、図６に示すように、電源電圧ＶＣＣ５を抵抗で分圧した簡単なものとすることができる。このとき、集積回路５２の外部の抵抗Ｒ４，Ｒ５，Ｒ１５，Ｒ１６は、以下の２つの式を満足するように抵抗値が決められることになる。
【００６４】
【数７】
2007318632.tif 000009
【００６５】
【数８】
2007318632.tif 000010
【００６６】
＜第４実施形態＞
本発明の第４実施形態に係る受信回路を、図７および図８に示す。図８は、図７に示す受信回路のブロックダイヤグラムである。
【００６７】
この受信回路は、上記第１実施形態に係る受信回路と上記第３実施形態に係る受信回路とを組み合わせたものとなっており、カップリングコンデンサＣ１，Ｃ２、アッテネータ６３、差動増幅回路３０、プラス側レベル判定回路３１、マイナス側レベル判定回路３２、ゲート回路Ｕ３などから構成されている。アッテネータ６３は、第３実施形態におけるアッテネータ６２と同じである。その他の構成要素については、第１実施形態で説明しているため、ここでは説明を省略する。差動増幅回路３０、プラス側レベル判定回路３１、マイナス側レベル判定回路３２、ゲート回路Ｕ３など、アッテネータ６３で減衰した入力信号を出力信号に変換する変換部は、集積回路５３に内蔵されている。一方、アッテネータ６３は、その全てが集積回路５３の外部に配置されている。
【００６８】
この第４実施形態に係る受信回路では、コンパレータＵ１，Ｕ２をヒステリシス付きのコンパレータとしているため、正のスレッショルド電圧も負のスレッショルド電圧も、それぞれヒステリシス特性を持つことになる。したがって、伝送中にＡＭＩ信号にノイズや反射波の影響が出て入力信号の受信波形が乱れたとき（図４の上段を参照）にも、その出力においてノイズ部分や反射波の影響部分でパルスが分割されてしまう不具合が抑制される（図４下段の出力信号を参照）。
【００６９】
また、第４実施形態に係る受信回路では、アッテネータ６３を構成する抵抗が全て集積回路５３の外部に配置されており、周囲温度が変化しても減衰率を概ね一定に保つことができるため、スレッショルドレベル（図３のＶ１ｏｆｆ，Ｖ１ｏｎ，Ｖ２ｏｆｆ，Ｖ２ｏｎ）が安定する。
【００７０】
したがって、第４実施形態に係る受信回路では、図９に示すような従来の受信回路に較べ、通信異常の発生頻度が極めて低く抑えられる。
【００７１】
なお、第４実施形態に係る受信回路では、電源電圧ＶＣＣ５を抵抗で分圧してアッテネータ６３の電圧源を集積回路５３の外部で生成しているが、この電圧源を集積回路５３の内部で生成する構成を採ることも可能である。
【図面の簡単な説明】
【００７２】
【図１】本発明に係る受信回路を採用する空気調和装置の概略構成図。
【図２】第１実施形態の受信回路の構成を示す図。
【図３】正負のスレッショルド電圧のヒステリシス特性を示す概念図。
【図４】入力信号およびヒステリシス特性有無による出力信号の違いの一例を示す図。
【図５】第２実施形態の受信回路の構成を示す図。
【図６】第３実施形態の受信回路の構成を示す図。
【図７】第４実施形態の受信回路の構成を示す図。
【図８】第４実施形態の受信回路のブロックダイヤフラム。
【図９】従来の受信回路の構成を示す図。
【図１０】従来の受信回路における出力信号の不具合を示す図。
【符号の説明】
【００７３】
１０    受信回路
３１    プラス側レベル判定回路
３２    マイナス側レベル判定回路
４１，４２    正帰還
５１，５２，５３    集積回路
６１，６２，６３    アッテネータ
Ｒ４，Ｒ５，Ｒ７，Ｒ８，Ｒ１５，Ｒ１６    アッテネータを構成する抵抗
Ｕ１，Ｕ２    コンパレータ
【図１】
2007318632.tif 000011
【図２】
2007318632.tif 000012
【図３】
2007318632.tif 000013
【図４】
2007318632.tif 000014
【図５】
2007318632.tif 000015
【図６】
2007318632.tif 000016
【図７】
2007318632.tif 000017
【図８】
2007318632.tif 000018
【図９】
2007318632.tif 000019
【図１０】
2007318632.tif 000020
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
ＡＭＩ符号化された信号を入力し、２値の出力信号に変換して出力する受信回路であって、
入力信号が正の第１しきい値よりも大きいか小さいかを判定する第１判定手段（Ｕ１）と、
入力信号が負の第２しきい値よりも大きいか小さいかを判定する第２判定手段（Ｕ２）と、
前記第１判定手段および前記第２判定手段の判定結果に基づき前記出力信号を生成する出力信号生成手段（Ｕ３）と、
前記第１しきい値にヒステリシス特性を持たせる第１ヒステリシス生成手段（４１）と、
前記第２しきい値にヒステリシス特性を持たせる第２ヒステリシス生成手段（４２）と、
を備えた受信回路。
【請求項２】
前記第１ヒステリシス生成手段（４１）は、ヒステリシス特性の付与により、前記第１しきい値を、正の第１増加時しきい値（Ｖ１ｏｎ）および正の第１減少時しきい値（Ｖ１ｏｆｆ）にするものであり、
前記第１判定手段は、前記入力信号の電圧が増加している際に、前記入力信号の電圧が前記正の第１増加時しきい値（Ｖ１ｏｎ）を超えると、２者択一の判定結果を反転させ、且つ、前記入力信号の電圧が減少している際に、前記入力信号の電圧が前記正の第１減少時しきい値（Ｖ１ｏｆｆ）を下回ると、２者択一の判定結果を反転させ、
前記第２ヒステリシス生成手段（４２）は、ヒステリシス特性の付与により、前記第２しきい値を、負の第２増加時しきい値（Ｖ２ｏｆｆ）および負の第２減少時しきい値（Ｖ２ｏｎ）にするものであり、
前記第２判定手段は、前記入力信号の電圧が増加している際に、前記入力信号の電圧が前記負の第２増加時しきい値（Ｖ２ｏｆｆ）を超えると、２者択一の判定結果を反転させ、且つ、前記入力信号の電圧が減少している際に、前記入力信号の電圧が前記負の第２減少時しきい値（Ｖ２ｏｎ）を下回ると、２者択一の判定結果を反転させる、
請求項１に記載の受信回路。
【請求項３】
ＡＭＩ符号化された差動信号を入力し、２値の出力信号に変換して出力する受信回路であって、
前記差動信号をノーマル信号に変換する差動増幅手段（３０）と、
前記ノーマル信号がしきい値よりも大きいか小さいかを判定する第１判定手段（Ｕ１）および第２判定手段（Ｕ２）と、
前記第１判定手段および前記第２判定手段の判定結果に基づき前記出力信号を生成する出力信号生成手段（Ｕ３）と、
前記第１判定手段のしきい値にヒステリシス特性を持たせる第１ヒステリシス生成手段（４１）と、
前記第２判定手段のしきい値にヒステリシス特性を持たせる第２ヒステリシス生成手段（４２）と、
を備えた受信回路。
【請求項４】
複数の電子部品（Ｒ４，Ｒ５，Ｒ７，Ｒ８）から構成され、入力信号を減衰させるアッテネータ（６１，６２，６３）
をさらに備え、
前記差動増幅手段（３０）、前記第１判定手段（Ｕ１）、前記第２判定手段（Ｕ２）、前記出力信号生成手段（Ｕ３）、前記第１ヒステリシス生成手段（４１）、前記第２ヒステリシス生成手段（４２）は、それぞれ、集積回路（５１，５２，５３）に内蔵されており、
前記アッテネータの前記電子部品は、前記集積回路の外部に配置されている、
請求項１に記載の受信回路。
【請求項５】
前記アッテネータの前記電子部品に接続される電源（Ｖ２）は、前記集積回路の内部から外部に引き出される、
請求項４に記載の受信回路。
【請求項６】
前記アッテネータの前記電子部品に接続される電源（Ｖ２ａ）は、前記集積回路の内部あるいは外部で生成される、
請求項４に記載の受信回路。
【手続補正２】
【補正対象書類名】明細書
【補正対象項目名】００１７
【補正方法】変更
【補正の内容】
【００１７】
第４発明に係る受信回路は、ＡＭＩ符号化された信号を入力し、２値の出力信号に変換して出力する第１発明の受信回路であって、アッテネータをさらに備えている。アッテネータは、複数の電子部品から構成され、入力信号を減衰させる。差動増幅手段、第１判定手段、第２判定手段、出力信号生成手段、第１ヒステリシス生成手段、第２ヒステリシス生成手段は、それぞれ、集積回路に内蔵されている。そして、アッテネータの電子部品は、集積回路の外部に配置されている。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
第５発明に係る受信回路は、第４発明の受信回路であって、アッテネータの電子部品に接続される電源は、集積回路の内部から外部に引き出される。
【手続補正５】
【補正対象書類名】明細書
【補正対象項目名】００２４
【補正方法】変更
【補正の内容】
【００２４】
第６発明に係る受信回路は、第４発明の受信回路であって、アッテネータの電子部品に接続される電源は、集積回路の内部あるいは外部で生成される。